(57)【要約】【課題】より簡素化された、溜めますを有する床構造を提供する。【解決手段】原子炉建屋内の、油を使用する機器を設置したエリア（部屋）の床１０に、溜めます５が形成されている。溜めます５に向かって傾斜する傾斜面４が床１０の上面に形成される。通常、排水配管７はキャップ８によって密封されている。溜めます５は、キャップ８が排水配管７を密封しているときには、本来の溜めますとして機能する。油を使用する機器から漏洩した油は、傾斜面４に沿って流れ、キャップ８で密封された溜めます５内に流入する。この油はポンプによって容器内に回収される。キャップ８が排水配管７から取り外されているときには、溜めます５はドレン収集口として機能する。保守点検時に床１０に漏洩した漏洩水は溜めます５内に流入し、排水配管７内に排出される。【選択図】図３
2010209534.tif 000002
【特許請求の範囲】
【請求項１】
油を使用する機器が設置される床に形成された溜めますと、前記床の上面に形成され、前記溜めますに向かって傾斜している傾斜面と、前記溜めますに接続されて前記床に埋設され、前記溜めます内に流入した水を排出する配管と、前記配管の水流入口部に取り外し可能に取り付けられて前記水流入口部を密封する密封栓とを有することを特徴とする溜めますを有する床構造。
【請求項２】
回転治具が挿入される孔部が前記密封栓に形成されている請求項１に記載の溜めますを有する床構造。
【請求項３】
油を使用する機器が設置される領域を有する、原子力発電所の建屋において、
前記機器が設置される前記領域の床に形成された溜めますと、前記床の上面に形成され、前記溜めますに向かって傾斜している傾斜面と、前記溜めますに接続されて前記床に埋設され、前記溜めます内に流入した水を排出する配管と、前記配管の水流入口部に取り外し可能に取り付けられて前記水流入口部を密封する密封栓とを有することを特徴とする原子力発電所の建屋。
【発明の詳細な説明】
【技術分野】
【０００１】
本発明は、溜めますを有する床構造及び原子力発電所の建屋に係り、特に、原子力プラント等のプラントに用いられる建屋に適用するのに好適な溜めますを有する床構造及び原子力発電所の建屋に関する。
【背景技術】
【０００２】
原子力プラントの原子炉建屋等の建屋において、床の洗浄及び機器の分解点検を行ったときに、床にこぼれた廃液を収集する必要がある。このため、床には廃液を収集するのドレン収集口（例えば、排水口）が形成されている（特開昭６３−２６５０３２号公報、特開昭６３−２８４４９５号公報及び特開２００３−３１５４９５号公報参照）。ドレン収集口に接続された排水配管を建屋内のサンプタンクまで伸ばし、床面上にこぼれた廃液をサンプタンクに導く例もある（特開昭６３−２８４４９５号公報参照）。
【０００３】
一方、原子力プラントの建屋内で可燃性油を取り扱う危険物設置エリアにおいては、消防法上、機器などから漏洩した油が拡散しないように堰で区分けすると同時に油を集めるための溜めますを床に設置することが要求されている。建屋内の漏洩水が発生する可能性のある、油を使用する機器が設置された危険物設置エリアでは、ドレン収集口及び溜めますを床に設置する必要がある。原子力発電所内における原子力プラントを設置する建屋内に存在する危険物設置エリアとしては、例えば、油を燃料として用いるディーゼル発電機が設置された部屋、軸受けに潤滑油を用いるタービン駆動給水ポンプ及び主蒸気系のタービンが設置された各部屋等がある。
【０００４】
危険物設置エリアの床に油がこぼれた場合には、危険物設置エリアの床に形成された溜めますに向って傾斜面に沿ってこぼれた油が流れ、この油が溜めます内に収集される。溜めます内に溜まった油は、ひしゃくなどで回収されて適切に処理される。
【０００５】
また、危険物設置エリアに設置された機器の保守点検時に、分解されたこの機器から、例えば、漏洩水が発生したとき、この漏洩水は、危険物設置エリアの床に形成されたドレン収集口に向って傾斜面に沿って流れ、ドレン収集口に収集される。
【０００６】
危険物設置エリアでは溜めます及びドレン収集口を床に形成する必要がある。このため、溜めますは油を使用する機器の近くで床に形成され、機器から油がこぼれやすい地点からその溜めますに向って床の傾斜面が形成される。ドレン収集口は漏洩水が生じやすい領域及び保守点検時に水を使う領域に形成される。
【０００７】
危険物設置エリア内には、こぼれた油によって火災が発生した場合に備えて二酸化炭素放出装置が設置されている。危険物設置エリア内で火災が発生したときには、二酸化炭素放出装置から二酸化炭素ガスが放出され、危険物設置エリア内の酸素濃度を下げることにより消火が行われる。
【先行技術文献】
【特許文献】
【０００８】
【特許文献１】特開昭６３−２６５０３２号公報
【特許文献２】特開昭６３−２８４４９５号公報
【特許文献３】特開２００３−３１５４９５号公報
【発明の概要】
【発明が解決しようとする課題】
【０００９】
溜めます及びドレン収集口を危険物設置エリア内の床に形成するとき、ドレン収集口に向う傾斜面は溜めます内に漏洩水等が流れ込まないように形成される。しかしながら、油を使用する機器から漏洩水が生じる場合もあり、こぼれた油と漏洩水が完全に分かれて溜めます及びドレン収集口にそれぞれ収集されるように傾斜面を形成することは困難である。
【００１０】
危険物設置エリア内でこぼれた油によって火災が発生した場合に二酸化炭素放出装置から放出される二酸化炭素が、ドレン収集口から排水配管を通って建屋内の他のエリアに放出される可能性がある。
【００１１】
本発明の目的は、より簡素化された、溜めますを有する床構造及び原子力発電所の建屋を提供することにある。
【課題を解決するための手段】
【００１２】
上記した目的を達成する本発明の特徴は、油を使用する機器が設置される床に形成された溜めますと、床の上面に形成され、溜めますに向かって傾斜している傾斜面と、溜めますに接続されて床に埋設され、溜めます内に流入した水を排出する配管と、配管の水流入口部に取り外し可能に取り付けられて前記水流入口部を密封する密封栓とを有することにある。
【００１３】
床に形成された溜めますに接続された配管の水流入部に、密封栓が取り外し可能に取り付けられているので、水流入部が密封栓によって密封されている状態では、その溜めますは本来の溜めますとして機能し、密封栓が水流入部から取り外された状態では、その溜めますは漏洩水受け部として機能する。このため、床に溜めますと漏洩水受け部を別々に形成する必要がないので、溜めますを有する床構造を簡素化することができる。
【発明の効果】
【００１４】
本発明によれば、溜めますを有する床構造を簡素化することができる。
【図面の簡単な説明】
【００１５】
【図１】本発明の好適な一実施例である実施例１の溜めますを有する床構造が適用された原子炉建屋の縦断面図である。
【図２】実施例１の溜めますを有する床構造が存在する部屋の横断面図である。
【図３】実施例１の溜めますを有する床構造の縦断面図である。
【図４】本発明の他の実施例である実施例２の溜めますを有する床構造に用いられるキャップの斜視図である。
【図５】図４に示すキャップを操作する治具の構成図である。
【発明を実施するための形態】
【００１６】
本発明の実施例を以下に説明する。
【実施例１】
【００１７】
本発明の好適な一実施例である実施例１の溜めますを有する床構造を、図１、図２及び図３を用いて説明する。
【００１８】
原子力発電所内に配置され、原子力プラントが設置された原子炉建屋１内には、複数の部屋が形成されている。部屋２は、危険物設置エリアであり、例えば、油を燃料として用いるディーゼル発電機１３（図２参照）が設置されている。ディーゼル発電機１３には冷却水を供給する冷却水配管（図示せず）も接続されている。残りの複数の部屋３は、油を用いる機器が設置されていなく、危険物設置エリアではない。水供給管１４に設けられたフランジ１５がディーゼル発電機１３に取り付けられる。この水供給管１４はフランジ１６によって他の水供給管１８に接続される。
【００１９】
溜めます５が部屋２内の床の中央部で床１０内に形成され、溜めます５の上端は部屋２内に開放されている。例えば、溜めます５の横断面は一辺が３０ｃｍの正方形になっており、溜めます５の深さも３０ｃｍである。床１０はコンクリート製である。ステンレス鋼製の底板６が、溜めます５内の底部に取り付けられている。溜めます５の側面も、図示されていないが、ステンレス鋼のライナが貼り付けられている。排水配管７が底板６に接続され、この排水配管７は溜めます５内に連絡される。部屋２内の床１０の上面は、部屋の四方から溜めます５に向う傾斜面４になっている。
【００２０】
キャップ（密封栓）８が、排水配管７の、底板６側の端部（水流入部）の内面に形成されたネジ９に取り外し可能に取り付けられている。キャップ８が排水配管７に取り付けられている状態では、排水配管７は、キャップ８によって密封される。通常は、排水配管７はキャップ８により密封されている。
【００２１】
こぼれた油によって火災が発生した場合に備えて二酸化炭素放出装置（図示せず）が、部屋２内に設置されている。火災発生時に二酸化炭素放出装置から放出される二酸化炭素が、部屋２に設けられた扉（図示せず）と側壁の間に形成される隙間を通して外部に漏洩しないように、扉は気密構造になっている。
【００２２】
各部屋３の床には、図示されていないが、ドレン収集口が形成されている。この床の上面は、ドレン収集口に向って傾斜する傾斜面になっている。排水配管７がドレン収集口の底部に接続されている。ドレン収集口に開放される排水配管７の開放端部には、キャップ８が取り付けられていない。
【００２３】
各階の部屋２内の床に形成されたドレン収集口に接続された各排水配管７、及び部屋２内の溜めます５に連絡された排水配管７は、原子炉建屋１の側壁内に設けられた排水母管１１に接続される。排水母管１１は、その側壁内を上方より下方に向って伸びており、原子炉建屋１内で最も下方に配置されたサンプタンク１２に接続されている。
【００２４】
部屋２内に設置されたディーゼル発電機１３から油が漏れた場合には、漏れた油は傾斜面４に沿って溜めます５に向って流れる。排水配管７はキャップ８で密封されているので、溜めます５内に流れ込んだ油は、排水配管７に排出されず、溜めます５内に溜まる。作業員は、まず、ディーゼル発電機１３から油が漏れ出るのを防ぐ措置を行う。その後、溜めます５内に溜まった油をひしゃく（またはポンプ）で汲み取って持ち運びできる容器内に回収する。回収された油が充填された容器を適切な場所まで搬送し、容器内の油を適切に処理する。漏洩した油の溜めます５内からの回収は、原子力プラントの運転中及び停止中にかかわらず、油が漏洩したときに行われる。
【００２５】
原子力プラントの運転が停止された後の運転停止期間内で行われる保守点検において、ディーゼル発電機１３の保守点検（分解点検）が行われ、フランジ１５をディーゼル発電機１３から取り外したことを想定する。水供給管１４に設けられたポンプの運転が停止されているが、水供給管１４内に存在する水が、床上にこぼれ落ちる。この漏洩した水は、傾斜面４に沿って溜めます５に向って流れる。溜めます５内には、油が存在していない。漏洩水は溜めます５内に収集される。作業員がキャップ８を回して排水配管７を密封しているキャップ８を取り外す。溜めます５内に溜まっている漏洩水が、排水配管７及び排水母管１１内を通ってサンプタンク１２内に導かれる。
【００２６】
本実施例の床構造は、床１０に、排水配管７が接続された溜めます５を形成しており、キャップ８が取り外し可能に排水配管７に取り付けられる。溜めます５は、キャップ８が排水配管７を密封しているときには、本来の溜めますとして機能する。キャップ８が排水配管７から取り外されているときには、溜めます５はドレン収集口として機能する。
【００２７】
溜めます５のこれらの機能を、図２を用いて具体的に説明する。
【００２８】
従来の危険物設置エリア内の床構造は、図２において破線で示す溜めます５Ａ及びドレン収集口１７を床に形成している。前述したように、従来の危険物設置エリア内の床構造は、溜めます５Ａは油を使用する機器（ディーゼル発電機１３）の近くで床に形成される。従来の危険物設置エリアの床に形成された溜めます５Ａには、排水配管が接続されていない。これは、溜めます５Ａ内に溜まった油が排水配管を通して他の領域に流出するのを避けるためである。ドレン収集口１７は漏洩水が生じやすい領域及び保守点検時に水を使う領域に形成される。ディーゼル発電機１３から漏れた油は、図２に示す破線の矢印のように溜めます５Ａに向って流れる。ドレン収集口１７に向う傾斜面を流れる漏洩水は、一点差線で示すように、ドレン収集口１７に向って流れる。しかしながら、フランジ１５を外した場合には水供給管１４内に存在する水が流出するが、この水は溜めます５Ａに向って流れる。溜めます５Ａには排水配管が接続されていないので、溜めます５Ａ内に溜まった水は、油と同様に、作業員がひしゃく（またはポンプ）で容器に回収する必要が生じる。
【００２９】
本実施例の溜めますを有する床構造では、溜めます５は、前述したように、排水配管７をキャップ８で密封した状態とキャップ８を取り外して排水配管７を開放した状態では異なる機能を発揮する。保守点検時に、フランジ１５を取り外して水供給管１４内の水が流出して溜めます５内に流入しても、キャップ８を取り外すことによって排水配管７を通してサンプタンク１２に容易に排出することができる。
【００３０】
キャップ８で排水配管７が密封されている状態で油が漏洩した場合には、この油は溜めます５内に溜められる。排水配管７がキャップ８で密封されているので、油は排水配管７内に排出されない。溜めます５内に溜まった油はポンプ等で完全に回収することができる。
【００３１】
本実施例は、危険物設置エリアである部屋２内の床に、溜めます及びドレン排出口の両方の機能を発揮できる溜めます５を形成しているので、床構造を簡素化することができる。従来のように、溜めます及びドレン排出口を形成し、溜めます及びドレン排出口のそれぞれに向って傾斜する傾斜面を別々に床に形成する必要がないので、油を用いる機器が設置される領域の床を形成するために要する時間を短縮することができる。
【００３２】
通常、溜めます５をドレン排出口ではなく溜めますとして使用するため、排水配管７がキャップ８で密封されている。このため、万が一、漏洩した油に起因して部屋２内で火災が発生し、消火のために、二酸化炭素放出装置から二酸化炭素を放出しても、この二酸化炭素が排水配管７を通して他の部屋３に漏れることを防止できる。
【００３３】
本実施例の溜めますを有する床構造は、沸騰水型原子力プラント及び加圧水型原子力プラントが設置されている原子力発電所内の原子炉建屋、タービン建屋及び放射性廃棄物処理建屋等の建屋、火力プラントの建屋及び化学プラントの建屋の床構造に適用することができる。前述したタービン駆動給水ポンプ及び主蒸気系のタービンは、タービン建屋内に設置されているので、本実施例の溜めますを有する床構造をタービン建屋の床構造に適用することは、非常に望ましいことである。
【実施例２】
【００３４】
本発明の他の実施例である実施例２の溜めますを有する床構造を、図４を用いて説明する。
【００３５】
本実施例の溜めますを有する床構造は、実施例１の溜めますを有する床構造において、溜めます５内に接続された排水配管７を密封するキャップ８を図４に示すキャップ８Ａに替えた構成を有する。
【００３６】
キャップ８Ａは、頭部１９及びネジ部２２を有する。ネジ部２２は頭部１９の下面に設けられる。頭部１９の直径はネジ部の直径よりも大きくなっている。キャップハンドル２１が頭部１９の上面に形成され、一対の孔部２０が頭部１９に形成されている。キャップ８Ａは、通常、溜めます５に接続される排水配管７の溜めます５側の端部を密封している。キャップ８Ａは回転用治具２３を用いて回転される。
【００３７】
回転用治具２３の具体的な構造を、図５を用いて説明する。回転用治具２３は、操作棒２４にハンドル２６を取り付け、一対の連結部２５を操作棒２４に取り付けて構成される。一対の連結部２５がキャップ８Ａに形成された一対の孔部２０内に挿入される。ハンドル２６を回すことによってキャップ８Ａのネジ部２２が排水配管７のネジ９に噛み合わされ、逆回転させることによってネジ部２２とネジ９の噛み合いが解除される。
【００３８】
実施例１において用いられるキャップ８は、キャップ８Ａにおいて一対の孔部２１を除去した構成を有する。このキャップ８を排水配管７に噛み合わせて排水配管７を密封するときには、作業員がキャップ８のキャップハンドル２１を手で持ってキャップ８を回転させる。排水配管７を密封しているキャップ８を排水配管７から取り外す場合にも、キャップハンドル２１を手で持って回転させる。
【００３９】
本実施例は実施例１で生じる各効果を得ることができる。また、本実施例は、孔部２０を形成しているので、上記したように回転用治具２３でキャップ８Ａを回転させることができる。このため、溜めます５内に溜まった漏洩水内に手を入れる必要が無いので、作業員の汚染防止を図ることができる。
【産業上の利用可能性】
【００４０】
本発明は、原子力プラント、火力プラント及び化学プラントに用いられる建屋内の床構造に適用することができる。
【符号の説明】
【００４１】
１…原子炉建屋、２，３…部屋、４…傾斜面、５…溜めます、７…排水配管、８，８Ａ…キャップ、１０…床、１１…排水母管、１２…サンプタンク。
【図１】
2010209534.tif 000003
【図２】
2010209534.tif 000004
【図３】
2010209534.tif 000005
【図４】
2010209534.tif 000006
【図５】
2010209534.tif 000007